(57)【特許請求の範囲】
【請求項１】
立設される支柱部材が第１及び第２のパイプ材により構成された物干しにおいて、
前記両パイプ材の上端部に両パイプ材を連結する連結部材を設け、該連結部材に、前記第１のパイプ材の延長上に延在する延長部材を回動自在に挿入して解除可能に固定する固定部と、前記第２のパイプ材より斜め上方へ向けて延出する傾斜延出部とを形成し、
前記延長部材の先端部に物干し竿を支持する側方に延出した第１の支持部材を設け、前記連結部材に対する前記第１の支持部材の延出方向を可変して固定可能に構成する一方、前記連結部材の前記傾斜延出部に、物干し竿を支持する第２の支持部材を前記第２パイプ材に対して傾斜した状態で固定したことを特徴とする物干し。
【請求項２】
前記第１の支持部材を前記延長部材に傾斜して支持するとともに、当該第１の支持部材と前記延長部材との傾斜角を、前記連結部材を介して前記第２のパイプ材に支持された前記第２の支持部材と前記第２のパイプ材との傾斜角とほぼ同角度に設定したことを特徴とする請求項１記載の物干し。
【請求項３】
前記連結部材の前記固定部に、挿入された前記延長部材を挿通して前記第１のパイプ材内へ案内する貫通穴を設けたことを特徴とする請求項１又は２記載の物干し。
【発明の詳細な説明】
【０００１】
【発明の属する技術分野】
本発明は、物干し竿を支持する物干しに関する。
【０００２】
【従来の技術】
従来、洗濯物を庭先に干す際には、物干し竿が用いられており、該物干し竿は、その両端部が、物干しによって支持されていた。
【０００３】
この物干しは、固定台の固定穴に差し込まれて立設された支柱部材を備えてなり、該支柱部材は、二本のパイプ材によって構成されている。該支柱部材の各パイプ材の先端部は、逆向きに折曲され、水平方向に延出されており、当該支柱部材は、Ｔ字状に形成されていた。
【０００４】
そして、この水平方向に延在した延在部によって、物干し竿の端部を支持できるように構成されていた。
【０００５】
【発明が解決しようとする課題】
しかしながら、このような物干しにあっては、その支柱部材がＴ字状を成し、ベランダなど狭い場所での使用に不向きであった。
【０００６】
本発明は、このような従来の課題に鑑みてなされたものであり、狭い場所であっても利用することができる物干しを提供することを目的とするものである。
【０００７】
【課題を解決するための手段】
前記課題を解決するために本発明の請求項１の物干しにあっては、立設される支柱部材が第１及び第２のパイプ材により構成された物干しにおいて、前記両パイプ材の上端部に両パイプ材を連結する連結部材を設け、該連結部材に、前記第１のパイプ材の延長上に延在する延長部材を回動自在に挿入して解除可能に固定する固定部と、前記第２のパイプ材より斜め上方へ向けて延出する傾斜延出部とを形成し、前記延長部材の先端部に物干し竿を支持する側方に延出した第１の支持部材を設け、前記連結部材に対する前記第１の支持部材の延出方向を可変して固定可能に構成する一方、前記連結部材の前記傾斜延出部に、物干し竿を支持する第２の支持部材を前記第２パイプ材に対して傾斜した状態で固定した。
【０００８】
すなわち、立設された支柱部材を構成する第１及び第２のパイプ材の上端部には、連結部材が設けられており、両パイプ材は、この連結部材によって連結される。
【０００９】
この連結部材には、前記第１のパイプ材の延長上に延在し、基端より回動自在に挿入された延長部材を固定する固定部が形成されており、前記延長部材の先端部には、物干し竿を支持する第１の支持部材が設けられている。このため、前記延長部材を回動することで、第１の支持部材の延出方向が変更され、その状態にて前記固定部で固定される。
【００１０】
そして、前記連結部材には、前記第２のパイプ材より斜め上方へ延出し、物干し竿を支持する第２の支持部材を傾斜した状態で支持する傾斜延出部が形成されている。このため、物干し竿を支持する支持部材が水平方向に延出する場合と比較して、第２の支持部材の突出量が抑えられ、当該物干しの専有面積が抑えられる。
【００１１】
また、請求項２の物干しにおいては、前記第１の支持部材を前記延長部材に傾斜して支持するとともに、当該第１の支持部材と前記延長部材との傾斜角を、前記連結部材を介して前記第２のパイプ材に支持された前記第２の支持部材と前記第２のパイプ材との傾斜角とほぼ同角度に設定した。
【００１２】
このため、前記第１の支持部材の延出方向を、前記第２の支持部材の延出方向と逆向きに設定することで、両支持部材をＹ字状に展開した状態が形成される。
【００１３】
一方、前記第１の支持部材を回転して前記第２の支持部材上に配置することで、両支持部材を上下に配置したＦ字形状が形成される。
【００１４】
さらに、請求項３の物干しでは、前記連結部材の前記固定部に、挿入された前記延長部材を挿通して前記第１のパイプ材内へ案内する貫通穴を設けた。
【００１５】
すなわち、前記連結部材の前記固定部には、挿入された前記延長部材を挿通して前記第１のパイプ材内へ案内する貫通穴が設けられている。このため、前記延長部材は、前記第１のパイプ材内への挿入量が定められた状態で、前記固定部にて固定される。
【００１６】
【発明の実施の形態】
（第１の実施の形態）
【００１７】
以下、本発明の第１の実施の形態を図に従って説明する。図１は、本実施の形態にかかる物干し１，１を示す図であり、該物干し１，１は、一対で使用され、物干し竿の両端部をそれぞれ支持するものである。
【００１８】
この物干し１，１は、固定台１１，１１に立設された支柱部材１２，１２を備えてなり、該支柱部材１２，１２は、図２にも示すように、第１のパイプ材１３，１３及び第２のパイプ材１４，１４によって構成されている。
【００１９】
前記固定台１１は、図３に示すように、平面視矩形状に形成されており、図４にも示すように、上方へ向かうに従って縮径した側面視台形状に形成されている。この固定台１１は、図５にも示すように、中空状に形成されており、その天面２１には、図３及び図４に示したように、内部へ水などを入れて重量増を図るための開口部２２が、図外のキャップで閉鎖可能に開口されている。また、前記天面２１の中央部には、図３に示したように、楕円形状の凹部２３が設けられており、該凹部２３は、図５に示したように、その底部２４が当該固定台１１の中央下部に位置するように設定されている。これにより、当該凹部２３内に前記両パイプ材１３，１４からなる前記支柱部材１２の下端部を内嵌した状態で、その挿入量を規制するとともに、この状態において、前記支柱部材１２を起立した状態に維持できるように構成されている。
【００２０】
前記支柱部材１２を構成する前記第１のパイプ材１３及び第２のパイプ材１４は、図２及び図６に示すように、下部連結部材３１，３１に挿入された状態で、その下部が連結されており、該下部連結部材３１には、前記各パイプ材１３，１４を位置決めする円弧状に形成された円弧部３２，３２が設けられている。各円弧部３２，３２には、ねじ穴３３，３３が設けられており、各ねじ穴３３，３３にタッピンねじ３４，３４を挿通して、各パイプ材１３，１４に螺入することによって、両パイプ材１３，１４を固定できるように構成されている。
【００２１】
また、前記支柱部材１２，１２の上端部には、図２に示したように、前記両パイプ材１３，１４を連結する連結部材４１が設けられている。
【００２２】
この連結部材４１は、図７に示すように、合成樹脂で形成されており、図２及び図８にも示すように、前記第１のパイプ材１３に外嵌する第１の外嵌部４２と、前記第２のパイプ材１４に外嵌する第２の外嵌部４３とによって一体形成されている。前記第１の外嵌部４２は、前記第１のパイプ材１３の延長上に延在する円筒状に形成されており、前記第１の外嵌部４２には、貫通穴４４が上下に渡って貫通して設けられている。この第１の外嵌部４２の下端部側面には、図７に示したように、第１のパイプ１３に螺入して固定するタッピンねじ用のねじ穴４５が設けられており、上部側面には、中央部付近に達する切欠溝４６が形成されている。
【００２３】
また、前記第１の外嵌部４２の上縁には、図８に示すように、前記切欠溝４６が形成された側に、その一部を切欠する切り欠き部５１が形成されており、この切り欠き部５１を境とした両側には、図７に示したように、上端と前記切り欠き溝４６との間に、側方へ延出する固定片５２，５２が一体形成されている。両固定片５２，５２には、図７及び図９に示すように、ボルト挿通穴５３，５３が開設されており、一方のボルト挿通穴５３の外側部には六角形状の六角穴５４が、他方のボルト挿通穴５３の外側部には円形の円形穴５５が形成されている。これにより、前記ボルト穴５３，５３に挿通された図外のボルトを、前記六角穴５４に内嵌されたナットに螺入することによって、前記切欠溝４６より上部側の前記第１の外嵌部４２に形成された固定部５６の内径寸法Ｓを縮径できるように構成されている。
【００２４】
この第１の外嵌部４２には、図２に示したように、延長部材としての延長パイプ６１が、その下端より挿入されるように構成されており、該延長パイプ６１の外形寸法は、前記第１のパイプ材１３の内径寸法より小径に設定されている。これにより、前記延長パイプ６１は、前記連結部材４１の前記第１の外嵌部４２の前記固定部５６に回動自在に挿入されるとともに、前記第１の外嵌部４２を挿通して、前記第１のパイプ材１３内へ案内されるように構成されている。また、前記固定部５６において、前述した図外のボルトとナットを締結して当該固定部５６の内径寸法Ｓを縮径することで、前記延長パイプ６１を固定して、その回転を阻止するとともに、その挿入代を固定できるように構成されている。
【００２５】
前記延長パイプ６１，６１の上端には、図２に示したように、への字状の接合部材７１，７１の一端部７２，７２が外嵌した状態で固定されており、該接合部材７１，７１の他端部７３，７３には、パイプ状の第１の支持部材７４，７４の基端が内嵌した状態で固定されている。前記接合部材７１，７１は、前記延長パイプ６１，６１に外嵌した基端部７２と、前記第１の支持部材７４，７４に外嵌した先端部７３，７３とが傾斜角αを成すように設定されており、前記第１の支持部材７４，７４は、前記延長パイプ６１，６１、すなわち第２のパイプ部材１４に平行して設けられた第１のパイプ部材１３に対して、傾斜角αで斜め上方へ延出するように構成されている。
【００２６】
前記第１の支持部材７４，７４には、物干し竿を保持した状態で支持する保持部材８１，８１が二箇所に設けられている。この保持部材８１は、図１０に示すように、前記物干し竿を保持するＣ字状の保持部８２と、該保持部８２の基端に設けられた基端部８３とによって合成樹脂により一体形成されている。この基端部８３は、図１１にも示すように、円筒状に形成されており、前記第１の支持部材７４に外嵌できるように形成されている。この基端部８３の下面には、タッピンねじを挿通するねじ穴８４が設けられており（図１０参照）、挿通したタッピンねじを前記第１の支持部材７４に螺入することで、その位置を固定できるように構成されている。
【００２７】
一方、前記連結部材４１の第２の外嵌部４３は、図７に示したように、前記第２のパイプ材１４の上端部に外嵌する円筒状のパイプ外嵌部９１と、該パイプ外嵌部９１より斜め上方へ屈曲して延在した傾斜延出部９２とによって、への字状に形成されている。該傾斜延出部９２も円筒状に形成されており、図２に示したように、パイプ状の第２の支持部材９３の基端部が内嵌された状態で固定されている。前記傾斜延出部９２と前記パイプ外嵌部９１とは、図７に示したように、傾斜角βを成すように設定されており、前記傾斜延出部９２に内嵌した第２の支持部材９３を、前記パイプ外嵌部９１に内嵌した前記第２のパイプ材１４に対して、図２に示したように、傾斜角βをもって斜め上方へ傾斜した状態で維持できるように構成されている。そして、この傾斜角βは、前記接合部材７１の前記基端部７２と先端部７３とが成す傾斜角αと同角度となるように設定されている。
【００２８】
ここで、本実施の形態では、前記傾斜角αと前記傾斜角βが同角度である場合を例に挙げて説明するが、これに限定されるものでは無く、異なる角度であっても良い。また、前記各第２の支持部材９３，９３にも、前述した保持部材８１，８１が二箇所に設けられている。
【００２９】
前記傾斜延出部９２の下面には、図７に示したように、タッピンねじが挿通されるねじ穴１０１が形成されており、このねじ穴１０１に挿通されるタッピンねじを前記第２の支持部材９３に螺入することによって、当該第２の支持部材９３を固定できるように構成されている。
【００３０】
以上の構成にかかる本実施の形態において、固定台１１，１１に立設された支柱部材１２を構成する第１及び第２のパイプ材１３，１４は、下端部が下部連結部材３１で連結されるとともに、その上端部が連結部材４１によって連結されている。これにより、前記両パイプ材１３，１４を、平行に保った状態で、その連結状態を維持することができる。
【００３１】
また、前記連結部材４１には、前記第２のパイプ材１４より斜め上方へ延出し、物干し竿を支持する第２の支持部材９３を傾斜した状態で支持する傾斜延出部９２が形成されており、前記第２の支持部材９３を傾斜した状態に維持することができる。
【００３２】
したがって、物干し竿を支持する支持部材が水平方向に延出する従来と比較して、第２の支持部材９３の長さ寸法を短くすること無く当該第２の支持部材９３の突出量を抑えることができる。これにより、当該物干し１の専有面積を抑えることができる。
【００３３】
そして、前記連結部材４１には、前記第１のパイプ材１３の延長上に延在し、基端より回動自在に挿入された延長パイプ６１を固定する固定部５６が形成されており、前記延長パイプ６１の先端部には、物干し竿を支持する第１の支持部材７４が設けられている。このため、前記延長パイプ６１を回動することで、第１の支持部材７４の延出方向を変更することができるとともに、その状態においてボルトとナットで固定することができる。
【００３４】
これにより、図１中実線で示したように、前記第１の支持部材７４と前記第２の支持部材９３の延出方向を逆向きに設定することで、両支持部材７４，９３が展開された状態を形成することができる。また、図１中破線で示したように、前記第１の支持部材７４を回動して前記第２の支持部材９３上に配置して固定することで、両支持部材７４，９３が上下に平行して配置された状態を形成することができる。これにより、当該物干し１の専有面積を、さらに抑えることができる。
【００３５】
したがって、支柱部材１２がＴ字状に固定されたため、ベランダなど狭い場所での使用に不向きであった従来と比較して、狭い場所であっても利用することができる。また、庭先など、広い場所での利用にも対応することができる。
【００３６】
また、本実施の形態にあっては、第１のパイプ１３に対する第１の支持部材７４の傾斜角αと、第２のパイプ１４に対する第２の支持部材７３の傾斜角βとを同角度に設定した。このため、前記第１の支持部材７４の延出方向を、前記第２の支持部材９３の延出方向と逆向きに設定することで、両支持部材７４，７３がＹ字状に展開された状態を形成することができる。これにより、支柱部材１２がＴ字状を成す従来と比較して、第１及び第２の支持部材７４，９３の長さ寸法を短くすること無く両支持部材７４，９３の突出量を抑えることができ、省スペース化を、より一層図ることができる。
【００３７】
一方、図１中破線で示したように、前記第１の支持部材７４を回動して前記第２の支持部材９３上に配置することで、両支持部材７４，９３が上下に配置されたＦ字形状を形成することができる。これにより、さらなる省スペース化を図ることができる。
【００３８】
さらに、前記連結部材４１の前記固定部５６には、挿入された前記延長パイプ６１を挿通して前記第１のパイプ材１３内へ案内する貫通穴４４が設けられており、前記延長パイプ６１の前記第１のパイプ材１３内への挿入代を定めた状態で、前記固定部５６のボルトナットにより固定することができる。
【００３９】
これにより、前記第１の支持部材７４の高さ位置を上下動することができ、上層階のベランダが天面となり、上部空間が規制されたベランダでも使用することができる物干し１と成り得る。
【００４０】
なお、本実施の形態にあっては、延長パイプ６１を任意の高さ位置で固定する固定部５６が設けられた連結部材４１を利用した場合を例に挙げて説明したがこれに限定されるものでは無い。
【００４１】
（第２の実施の形態）
【００４２】
図１２は、第２の実施の形態を示す図であり、第１の実施の形態と同様の部分については同一の符号を付して説明を割愛し、異なる部分についてのみ説明する。
【００４３】
すなわち、支柱部材１２の上端部に設けられた連結部材２０１は、図１３及び図１４に示すように、合成樹脂で形成されており、図１２から図１４に示すように、前記第１のパイプ材１３に外嵌する第１の外嵌部４２と、前記第２のパイプ材１４に外嵌する第２の外嵌部４３とによって一体形成されている。前記第１の外嵌部４２は、前記第１のパイプ材１３の延長上に延在する円筒状に形成されており、その内部は、図１５に示すように、隔壁部２０２によって上下に区画されている。この隔壁部２０２を境とした下部及び上部における前記第１の外嵌部４２の側面には、図１３に示したように、第１のパイプ１３又は延長パイプ６１に螺入して固定するタッピンねじ用のねじ穴２０３，２０４が設けられており、前記隔壁部２０２より上部は、図１５に示したように、回動自在に挿入された延長パイプ６１を固定する固定部２０５を構成している。
【００４４】
以上の構成にかかる本実施の形態において、延長パイプ６１に設けられた第１の支持部材７４の上下移動は制限されるものの、他に関しては、第１の実施の形態と同様の効果を得ることができる。
【００４５】
また、第１の実施の形態と比較して、連結部材２０１の構造の簡素化を図ることができ、低コスト化に寄与することができる。
【００４６】
【発明の効果】
以上説明したように、本発明の請求項１の物干しにあっては、立設された第１及び第２のパイプ材を連結する連結部材の傾斜延出部によって、物干し竿を支持する第２の支持部材を、傾斜した状態で支持することができる。
【００４７】
したがって、物干し竿を支持する支持部材が水平方向に延出する場合と比較して、第２の支持部材の長さ寸法を短くすること無く当該第２の支持部材の突出量を抑えることができ、当該物干しの専有面積を抑えることができる。
【００４８】
そして、前記連結部材の固定部には、延長部材が回動自在に挿入され固定されるように構成されており、この延長部材には、物干し竿を支持する第１の支持部材が設けられている。このため、前記延長部材を回動して固定することで、第１の支持部材の延出方向を変更することができる。
【００４９】
これにより、前記第１の支持部材と前記第２の支持部材の延出方向を逆向きに設定することで、両支持部材が展開された状態を形成することができる。また、前記第１の支持部材を回動して前記第２の支持部材上に配置して固定することで、両支持部材が上下に配置された状態を形成することができる。これにより、当該物干しの専有面積を、さらに抑えることができる。
【００５０】
したがって、支柱部材がＴ字状に固定されたためベランダなど狭い場所での使用に不向きであった従来と比較して、狭い場所であっても利用することができる。また、庭先など、広い場所での利用にも対応することができる。
【００５１】
また、請求項２の物干しにおいては、前記第１の支持部材の延出方向を、前記第２の支持部材の延出方向と逆向きに設定することで、両支持部材がＹ字状に展開された状態を形成することができる。これにより、支柱部材がＴ字状を成す従来と比較して、第１及び第２の支持部材の長さ寸法を短くすること無く両支持部材の突出量を抑えることができ、省スペース化を図ることができる。
【００５２】
一方、前記第１の支持部材を回転して前記第２の支持部材上に配置することで、両支持部材が上下に配置されたＦ字形状を形成することができる。これにより、さらなる省スペース化を図ることができる。
【００５３】
さらに、請求項３の物干しでは、前記連結部材の前記固定部には、挿入された前記延長部材を挿通して前記第１のパイプ材内へ案内する貫通穴が設けられており、前記延長部材の前記第１のパイプ材内への挿入量を定めた状態で前記固定部によって固定することができる。
【００５４】
これにより、前記第１の支持部材の高さ位置を上下動することができ、上層階のベランダが天面となり、上部空間が規制されたベランダでの利用に適した物干しと成り得る。
【図面の簡単な説明】
【図１】本発明の第１の実施の形態を示す斜視図である。
【図２】同実施の形態の物干しを示す斜視図である。
【図３】同実施の形態の固定台を示す平面図である。
【図４】同実施の形態の固定台の側面を示す要部断面図である。
【図５】図３のＡ−Ａ線に沿った断面図である。
【図６】同実施の形態の要部を示す拡大図である。
【図７】同実施の形態の連結部材を示す側面図である。
【図８】同実施の形態の連結部材を示す平面図である。
【図９】図７のＢ−Ｂ線に沿った断面図である。
【図１０】同実施の形態の保持部材を示す要部断面図である。
【図１１】図１０のＣ矢示図である。
【図１２】本発明の第２の実施の形態を示す斜視図である。
【図１３】同実施の形態の連結部材を示す側面図である。
【図１４】同実施の形態の連結部材を示す平面図である。
【図１５】図１４のＤ−Ｄ線に沿った断面図である。
【符号の説明】
１    物干し
１２    支柱部材
１３    第１のパイプ材
１４    第２のパイプ材
４１    連結部材
４４    貫通穴
５６    固定部
６１    延長パイプ（延長部材）
７４    第１の支持部材
９２    傾斜延出部
９３    第２の支持部材
２０１    連結部材
２０５    固定部
【図１】
0003743557.tif 000002
【図２】
0003743557.tif 000003
【図３】
0003743557.tif 000004
【図４】
0003743557.tif 000005
【図５】
0003743557.tif 000006
【図６】
0003743557.tif 000007
【図７】
0003743557.tif 000008
【図８】
0003743557.tif 000009
【図９】
0003743557.tif 000010
【図１０】
0003743557.tif 000011
【図１１】
0003743557.tif 000012
【図１２】
0003743557.tif 000013
【図１３】
0003743557.tif 000014
【図１４】
0003743557.tif 000015
【図１５】
0003743557.tif 000016